(57)【要約】      （修正有）【課題】新規な電極タブを備えたバッテリーパックの提供。【解決手段】第１及び第２の電極タブ１２０ａ、１２０ｂを備えた電極組立体と、第１及び第２の電極タブ１２０ａ、１２０ｂは、外側に突出するように電極組立体を収納するバッテリーケース１３０と、第１及び第２の電極タブ１２０ａ、１２０ｂと結合する複数のタブ安着部１５０を備える保護回路モジュール１６０と、を含み、第１及び第２の電極タブ１２０ａ、１２０ｂには、第１の整列部が備えられ、タブ安着部１５０には、第１の整列部と接触する第２の整列部１５１が備えられる。【選択図】図１
2015008139.tif 000002
【特許請求の範囲】
【請求項１】
第１の整列部を備えた電極タブが引き出される二次電池と、
前記第１の整列部と噛み合う第２の整列部を備えたタブ安着部を含む保護回路モジュールと、
を含むことを特徴とするバッテリーパック。
【請求項２】
前記電極タブが前記タブ定着部に重畳されて配置され、前記第２の整列部は、前記第１の整列部と噛み合うことを特徴とする請求項１に記載のバッテリーパック。
【請求項３】
前記電極タブは、前記二次電池から第１の方向に延び、前記タブ定着部は、前記保護回路モジュールの表面から前記第１の方向に延びることを特徴とする請求項１に記載のバッテリーパック。
【請求項４】
前記タブ定着部の幅は、前記電極タブの幅に対して１倍ないし１.２倍で備えられることを特徴とする請求項１に記載のバッテリーパック。
【請求項５】
前記タブ定着部の幅は、５ｍｍないし７ｍｍであり、前記電極タブの幅は、５ｍｍないし６ｍｍであることを特徴とする請求項１に記載のバッテリーパック。
【請求項６】
前記第１の整列部及び第２の整列部のうち、少なくとも一つは開口部を含み、前記第１の整列部及び第２の整列部のうち、少なくとも他の一つは前記開口部と噛み合うように備えられる突起を含むことを特徴とする請求項１に記載のバッテリーパック。
【請求項７】
前記突起は、前記突起が備えられる第１または第２の整列部と一体型で形成されることを特徴とする請求項６に記載のバッテリーパック。
【請求項８】
前記第１の整列部は、開口部を含み、前記第２の整列部は、前記開口部と噛み合う突起を含むことを特徴とする請求項１に記載のバッテリーパック。
【請求項９】
前記突起は、前記タブ定着部と一体型で形成されることを特徴とする請求項８に記載のバッテリーパック。
【請求項１０】
前記突起の断面は、前記開口部の断面に対応するように備えられることを特徴とする請求項９に記載のバッテリーパック。
【請求項１１】
前記突起の高さは、前記タブ定着部の高さよりも高く備えられ、前記突起の末端部は、前記開口部から突出することを特徴とする請求項９に記載のバッテリーパック。
【請求項１２】
前記突起の末端部は、前記開口部から０.５ｍｍないし１ｍｍほど突出することを特徴とする請求項１１に記載のバッテリーパック。
【請求項１３】
前記突起の末端部は、フック部を含み、前記フック部は、前記タブ定着部に対する前記電極タブの一面の反対面上で前記電極タブと噛み合うことを特徴とする請求項１１に記載のバッテリーパック。
【請求項１４】
前記突起の末端部は、凸ヘッド部を含み、前記凸ヘッド部は、前記タブ定着部に対する前記電極タブの一面の反対面上で前記電極タブと噛み合うことを特徴とする請求項１１に記載のバッテリーパック。
【請求項１５】
前記電極タブと前記タブ定着部との間には、結合層をさらに含むことを特徴とする請求項１に記載のバッテリーパック。
【請求項１６】
前記結合層は、接着能を持つことを特徴とする請求項１５に記載のバッテリーパック。
【請求項１７】
前記結合層は、Ａｇペース、または導電性接着剤を含むことを特徴とする請求項１５に記載のバッテリーパック。
【請求項１８】
前記結合層の面積は、タブ定着部の面積と同じか、または小さく備えられることを特徴とする請求項１５に記載のバッテリーパック。
【請求項１９】
前記電極タブは、前記二次電池から延びる第１及び第２の電極タブを含むが、前記第１及び第２の電極タブのそれぞれは、第１の整列部を備え、前記タブ定着部は、第１及び第２のタブ定着部を含むが、前記第１及び第２のタブ定着部の各々は、前記第１及び第２の電極タブの少なくとも一つに対応する第１の整列部と噛み合うように備えられる第２の整列部を含むことを特徴とする請求項１に記載のバッテリーパック。
【請求項２０】
前記二次電池は、パウチ型二次電池を含むことを特徴とする請求項１に記載のバッテリーパック。
【発明の詳細な説明】
【技術分野】
【０００１】
本発明は、バッテリーパックに関する。
【背景技術】
【０００２】
近年、携帯用電子機器の電源としてバッテリーパックが多様に使用されている。また、携帯用電子機器が様々な分野で使用されており、これによってバッテリーパックの需要が急増している。前記バッテリーパックは、充電・放電が可能であり、複数回の使用が可能であり、それによって経済及び環境の面からも効果的であるため、その使用が奨励されている。
【０００３】
携帯用電子機器の小型化・軽量化が要求されており、これによりバッテリーパックに対しても小型化・軽量化が求められている。一方、バッテリーパックは、内部にリチウムなどのような反応性の大きい物質からなるため、バッテリーパックの安全性を理由に、小型化・軽量化させるのに制約になってきた。これにより、バッテリーパックの安全性を向上させると同時に、小型化・軽量化するための様々な研究が進められている。
【先行技術文献】
【特許文献】
【０００４】
【特許文献１】大韓民國特許公開第 2 0 1 2 − 0 0 9 0 8 2 8 号
【特許文献２】大韓民國特許公開第 2 0 1 1 − 0 0 6 1 0 5 5 号
【発明の概要】
【発明が解決しようとする課題】
【０００５】
上述した問題を解決するために案出された本発明の目的は、新規な電極タブを備えたバッテリーパックを提供することである。また、本発明の他の目的は、新規な保護回路モジュールの取り付け方法を適用し、工程の効率が改善されたバッテリーパックを提供することである。
【課題を解決するための手段】
【０００６】
上記のような目的を達成するための本発明の特徴によれば、第１の整列部を備えた電極タブが引き出される二次電池と、前記第１の整列部と噛み合う第２の整列部を備えたタブ安着部を含む保護回路モジュールを含むバッテリーパックを含む。
【０００７】
また、前記電極タブが前記タブ定着部に重畳されて配置されて前記第２の整列部は、前記第１の整列部と噛み合うことができる。
【０００８】
また、前記電極タブは、前記二次電池から第１の方向に延び、前記タブ定着部は、前記保護回路モジュールの表面から前記第１の方向に延びることができる。
【０００９】
また、前記タブ定着部の幅は、前記電極タブの幅に対して１倍ないし１.２倍で備えることができる。
【００１０】
また、前記タブ定着部の幅は、５ｍｍないし７ｍｍであり、前記電極タブの幅は、５ｍｍないし６ｍｍでありうる。
【００１１】
前記第１の整列部及び第２の整列部のうち、少なくとも一つは開口部を含み、前記第１の整列部及び第２の整列部のうち、少なくとも他の一つは、前記開口部と噛み合うように備えられる突起を含むことができる。
【００１２】
また、前記突起は、前記突起が備えられる第１または第２の整列部と一体型で形成することができる。
【００１３】
また、前記第１の整列部は、開口部を含み、前記第２の整列部は、前記開口部と噛み合う突起を含むことができる。
【００１４】
また、前記突起は、前記タブ定着部と一体型で形成することができる。
【００１５】
また、前記突起の断面は、前記開口部の断面に対応するように備えることができる。
【００１６】
また、前記突起の高さは、前記タブ定着部の高さよりも高く備えられ、前記突起の末端部は、前記開口部から突出することができる。
【００１７】
また、前記突起の末端部は、前記開口部から０.５ｍｍないし１ｍｍほど突出することができる。
【００１８】
また、前記突起の末端部は、フック部を含み、前記フック部は、前記タブ定着部に対する前記電極タブの一面の反対面上で前記電極タブと噛み合うことができる。
【００１９】
また、前記突起の末端部は、凸ヘッド部を含み、前記凸ヘッド部は、前記タブ定着部に対する前記電極タブの一面の反対面上で前記電極タブと噛み合うことができる。
【００２０】
また、前記電極タブとタブ定着部との間には、結合層をさらに含むことができる。
【００２１】
また、前記結合層は接着能を持つことができる。
【００２２】
また、前記結合層は、Ａｇペース、または導電性接着剤を含むことができる。
【００２３】
また、前記結合層の面積は、タブ定着部の面積と同じか、または小さく備えることができる。
【００２４】
また、前記電極タブは、前記二次電池から延びる第１及び第２の電極タブを含むが、前記第１及び第２の電極タブのそれぞれは、第１の整列部を備え、前記タブ定着部は、第１及び第２のタブ定着部を含むが、前記第１及び第２のタブ定着部の各々は、前記第１及び第２の電極タブの少なくとも一つに対応する第１の整列部と噛み合うように備えられる第２の整列部を含むことができる。
【００２５】
また、前記二次電池は、パウチ型二次電池を含むことができる。
【発明の効果】
【００２６】
以上説明したように本発明によれば、新規な電極タブを備えたバッテリーパックを提供することができる。また、本発明によれば、新規な保護回路モジュール取り付け方法を適用して工程の効率が改善されたバッテリーパックを提供することができる。
【図面の簡単な説明】
【００２７】
【図１】本発明の一実施形態によるバッテリーパックの斜視図である。
【図２】図１によるバッテリーパックの分解斜視図である。
【図３Ａ】図１のＩ-Ｉに沿った断面図である。
【図３Ｂ】図３Ａの分解図である。
【図４】本発明の他の実施形態による電極タブ及びタブ定着部の断面図である。
【図５】本発明のまた他の実施形態による電極タブ及びタブ定着部の断面図である。
【図６】本発明のその他の実施形態による電極タブ及びタブ定着部の断面図である。
【発明を実施するための形態】
【００２８】
その他の実施形態の具体的な事項は詳細な説明及び図面に含まれている。本発明の利点及び特徴、そしてそれらを達成する方法は、添付される図面と共に詳細に後述されている実施形態を参照すれば明確になるだろう。しかし、本発明は、以下に開示される実施形態に限定されるものではなく、互いに異なる多様な形態で具現することができ、以下の説明ではいずれかの部分が他の部分と連結されているとしたとき、これは、直接連結されている場合だけでなく、その中間に他の素子を間に置いて電気的に連結されている場合をも含む。また、図面では、本発明と関係のない部分は、本発明の説明を明確にするために省略し、明細書全体を通じて類似した部分については同一の符号を付した。
【００２９】
以下、添付した図面を参照して、本発明について説明する。図１は、本発明の一実施形態によるバッテリーパックの斜視図、図２は、図１によるバッテリーパックの分解斜視図である。
【００３０】
本発明の一実施形態によるバッテリーパック１００は、第１及び第２の電極タブ１２０ａ、１２０ｂを備えた電極組立体と、前記第１及び第２の電極タブ１２０ａ、１２０ｂが、外側に突出するように前記電極組立体を収納するバッテリーケース１３０と、前記第１及び第２の電極タブ１２０ａ、１２０ｂと結合する複数のタブ安着部１５０を備える保護回路モジュール１６０と、を含み、前記第１及び第２の電極タブ１２０ａ、１２０ｂには、第１の整列部１２１が備えられ、前記タブ安着部１５０には、前記第１の整列部１２１と接触する第２の整列部１５１が備えられる。
【００３１】
バッテリーパック１００は、二次電池１１０と、前記二次電池１１０と電気的に連結される保護回路モジュール１６０で構成することができる。前記二次電池１１０には、第１及び第２の電極タブ１２０ａ、１２０ｂが突出し、前記第１及び第２の電極タブ１２０ａ、１２０ｂは、前記保護回路モジュール１６０のタブ安着部１５０と電気的に連結することができる。
【００３２】
前記二次電池は、バッテリーケース１３０と前記バッテリーケース１３０内に収納される電極組立体及び電解液で構成することができる。前記電極組立体は、互いに異なる極性を有する第１の極板と第２の極板及びセパレータで構成することができる。例えば、前記第１の極板は、基材にリチウムを含む陽極活物質をコーティングした陽極板であり、前記第２の電極板は、基材にカーボンを含む陰極活物質をコーティングした陰極板でありうる。前記セパレータは、第１及び第２の極板の間に介在され、第１及び第２の極板が直接接触することを防止すると同時に、イオンまたは電解液の通路となる多数の気孔を含むことができる。
【００３３】
電解液は、前記電極組立体とともにバッテリーケース１３０に収納されうるが、この時、前記電解液は、前記第１及び第２の極板の間の電流移動が容易になるようにする。例えば、電解液は、リチウムイオンの供給源として作用するリチウム塩と、電気化学的反応に関与するイオンらが移動できるように媒質の役目をする非水性有機溶媒を含むことができる。
【００３４】
前記バッテリーケース１３０は、前記電極組立体及び電解液を収納した後、前記バッテリーケース１３０の周辺部に沿ってシールすることができる。この時、前記電極組立体の第１及び第２の電極タブ１２０ａ、１２０ｂは、前記バッテリーケース１３０の周辺部を介して外側に突出するように備えられた後、前記バッテリーケース１３０の周辺部をシールすることができる。
【００３５】
前記バッテリーケース１３０は、高分子樹脂、薄膜金属及び高分子樹脂が複数の層に積層された形態で、かつパウチ型で備えることができる。例えば、本実施形態による二次電池１１０は、パウチ型二次電池でありえる。また、前記バッテリーパック１００は、前記第１及び第２の電極タブ１２０ａ、１２０ｂに隣接するように備えられる保護回路モジュール１６０を含むことができる。
【００３６】
前記保護回路モジュール１６０は、前記第１及び第２の電極タブ１２０ａ、１２０ｂと電気的に連結されてバッテリーパック１００の電気的な流れを制御することができる。
【００３７】
前記保護回路モジュール１６０には、バッテリーパック１００の安全装置である二次素子及び回路などを備えることができる。また、前記保護回路モジュール１６０には、前記第１及び第２の電極タブ１２０ａ、１２０ｂと連結される複数のタブ安着部１５０を備えることができる。
【００３８】
前記タブ安着部１５０は、前記第１及び第２の電極タブ１２０ａ、１２０ｂに対応する大きさで備えることができる。例えば、前記タブ安着部１６０は、前記保護回路モジュール１６０の内側に備えられるか、又は前記第１及び第２の電極タブ１２０ａ、１２０ｂに向かうように、前記保護回路モジュール１６０の外側に突出されることができる。本実施形態では、前記タブ安着部１５０は、保護回路モジュール１６０の内側に装着された形態で説明する。
【００３９】
前記タブ安着部１６０上には、第１及び第２の電極タブ１２０が備えられる。前記タブ安着部１６０の幅Ｌ１は、前記第１及び第２の電極タブ１２０の幅Ｌ２と同じか、又は大きく備えることができる。例えば、前記タブ安着部１６０の幅Ｌ１は約５ｍｍないし７ｍｍであり、第１及び第２の電極タブ１２０の幅Ｌ２は、約５ｍｍないし６ｍｍでありえる。すなわち、前記タブ安着部１６０の幅Ｌ１は、第１及び第２の電極タブ１２０の幅Ｌ２に比べて１.２倍以下で備えることができる。
【００４０】
例えば、前記第１及び第２の電極タブ１２０は、第１の整列部１２１を備え、タブ安着部１５０は、前記第１のアラインメント部１２１と接触する第２の整列部１５１を備えることができる。
【００４１】
前記第１及び第２の電極タブ１２０は、前記タブ安着部１５０に安着された後、溶接などの工程によって固定することができる。このとき、前記第１及び第２のアラインメント部１２１、１５１によって前記第１及び第２の電極タブ１２０の位置を容易に合わせることができるので、第１及び第２の電極タブ１２０に対応するタブ安着部１５０のサイズを減少させることができる。また、前記第１及び第２の電極タブ１２０をタップ安着部１５０に備えた後、前記第１及び第２の整列部１２１、１５１が互いに結合して、前記第１及び第２の電極タブ１２０とタブ安着部１５０とを固定するので、容易に溶接することができ、前記タブ安着部１５０のサイズのマージンを減少させることができる。また、前記保護回路モジュール１６０内で前記タブ定着部１５０が占める空間が減少するので、前記保護回路モジュール１６０に実装される保護素子などのための空間を効率的に活用することができる。
【００４２】
通常、第１及び第２の電極タブが外側に突出する形態であるバッテリーパックにおいて、前記保護回路モジュールは、二次電池の幅に対応するように備えられる。すなわち、前記保護回路モジュールの幅は、前記二次電池で第１及び第２の電極タブが突出する面の幅に対応するように備えられる。このとき、前記第１及び第２の電極タブは、前記保護回路モジュールのタブ定着部と溶接によって電気的に連結されるが、二次電池の幅が多様に変化しながら、前記保護回路モジュールのタブ定着部と前記第１及び第２の電極タブとの位置の整列を合わせるのは容易ではなく、時にはタブ定着部と第１及び第２の電極タブとの位置が合わないように配置され、溶接時に不良が発生するなどの工程効率を低下させる。従って、前記タブ定着部と第１及び第２の電極タブとの間の位置マージンを考慮し、前記タブ定着部の大きさ、例えば、幅は、前記第１及び第２の電極タブの幅に１.６倍以上に備えなければならず、これは生産コストを増加させ、さらに、溶接品質を確保するのに困難があったり、前記第１及び第２の電極タブとタブ定着部を溶接するために、高仕様の設備及び治具が必要であるという問題がある。
【００４３】
本発明の実施形態によるバッテリーパックは、第１及び第２の電極タブとタブ定着部との間の位置整列を容易に合わせることができるので、工程の効率を向上させることができる。また、前記タブ定着部のサイズを前記第１及び第２の電極タブと対応するサイズに備えることができるので、生産コストを削減することができる。また、本発明の実施形態によるバッテリーパックは別途の治具を省略しても、前記第１及び第２の電極タブとタブ定着部との間の位置を容易に固定することができるので、不良を防止して高い溶接品質を確保することができる。
【００４４】
図３Ａは、図１のＩ−Ｉに沿った断面図であり、図３Ｂは、図３Ａの分解図である。図３Ａ及び図３Ｂを参照すると、第１及び第２の電極タブ１２０に備えられる第１の整列部１２１と前記タブ安着部１５０に備えられる第２の整列部１５１とは、互いに結合することができる。例えば、前記第１のアラインメント部１２１または第２の整列部１５１は、開口部を含むことができ、前記第１のアラインメント部１２１または第２の整列部１５１は、前記開口部に挿入される突起を含むことができる。
【００４５】
本実施形態では、前記第１の整列部１２１は、開口部の形態で備えられ、前記第２の整列部１５１は、前記開口部に対応する断面を有する突起の形態で備えられるものを説明するが、これに限定されるものではない。
【００４６】
前記第１及び第２の電極タブ１２０が、前記タブ安着部１５０に備えられるときに、前記第１の整列部１２１及び第２のアラインメント部１５１によって前記第１及び第２の電極タブ１２０の位置は、前記タブ安着部１５０に容易に整列されることができる。また、前記第２の整列部１５１の突起が、前記第１のアラインメント部１２１の開口部に挿入され、前記第１及び第２の電極タブ１２０は、前記タブ安着部１５０に固定されて、後続の溶接工程を容易に行うことができる。
【００４７】
前記第１及び第２の電極タブ１２０が、前記タブ安着部１５０に装着された後、前記第２の整列部１５１の突起は、前記第１のアラインメント部１２１の開口部に挿入されて外側に突出されることができる。前記第１の整列部１２１の外面を基準として前記第２の整列部１５１が突出する長さを、第１の長さＳとしたとき、前記第１の長さＳは、約０.５ｍｍないし１ｍｍでありえる。
【００４８】
前記第１及び第２の電極タブ１２０とタブ安着部１５０の溶接工程では、前記第２の整列部１５１で第１の長さＳを加圧した後、溶接することができる。このとき、前記第１の長さＳが０.５ｍｍ未満の場合には、前記第１の整列部１２１に前記第２の整列部１５１が挿入された後、固定されずに簡単に着脱して溶接の品質を確保することが困難な問題となる。例えば、前記第１及び第２の電極タブ１２０とタブ安着部１５０は、電気的に導体である金属からなり、そのために金属の特性によって前記第１及び第２の電極タブ１２０とタブ安着部１５０との間の摩擦力が低い。
【００４９】
したがって、前記第２の整列部１５１が、前記第１のアラインメント部１２１に挿入された後にも前記第１及び第２の整列部１２１、１５１の結合を維持するためには、前記第１の長さＳは、所定の長さを維持することが好ましく、前記第１の長さＳは、０.５ｍｍ以上でありえる。また、前記第１の長さＳは、１ｍｍ未満に備えられることが好ましい。
【００５０】
前記第１の長さＳが１ｍｍを超える場合には、前記溶接工程遂行前に、前記溶接工程の品質を確保するために、前記第１の長さＳの少なくとも一部を加圧して溶接工程を遂行するが、前記第１の長さＳが所定以上に長く備えられる場合には、前記第１の長さＳで加圧しなければならない部分が増加し、そのため、無駄なエネルギーを浪費するので、工程の効率が低下する。すなわち、前記第１の長さＳは、第１及び第２の電極タブ１２０とタブ安着部１５０との間の固定力と後続の溶接工程の効率を全て考慮し、０.５ｍｍないし１ｍｍであることが好ましく、例えば、前記第１の長さＳが０.８ｍｍであることが最も好ましい。
【００５１】
以下、図４ないし図６を参照して本発明の他の実施形態について説明する。後述する内容を除いては、図１ないし図３で説明した実施形態に記載された内容と類似しているので、詳細な内容については省略する。
【００５２】
図４は、本発明の他の実施形態による電極タブ及びタブ定着部の断面図、図５は、本発明のまた他の実施形態による電極タブ及びタブ定着部の断面図である。
【００５３】
図４及び図５を参照すると、第１及び第２の電極タブ２２０ａ、２２０ｂは、保護回路モジュール２６０ａ、２６０ｂに備えられるタブ安着部２５０ａ、２５０ｂに安着されることができる。この時、前記タブ安着部２５０ａ、２５０ｂに備えられる第２の整列部２５１ａ、２５１ｂは、第１及び第２の電極タブ２２０ａ、２２０ｂに備えられた第１のアラインメント部の開口部に挿入された後、前記第１及び第２の電極タブ２２０ａ、２２０ｂの外面と接触する末端部２５２ａ、２５２ｂをさらに含むことができる。
【００５４】
図５において、前記第２の整列部２５１ａは、Ｘ方向に前記第１の整列部に挿入された後、前記第１及び第２の電極タブ２２０ａの外面に接触する末端部２５２ａによって固定されることができる。このとき、前記末端部２５２ａは、Ｙ方向に突出するフック形状（またはフック部）でありえる。また、図６において、前記第２の整列部２５１ｂは、前記第１の整列部に挿入されてキノコ形状（または凸ヘッド部）の末端部２５２ｂによって固定されることができる。
【００５５】
前記フック形状またはキノコ形状の末端部２５２ａ、２５２ｂの断面は、前記第１の整列部の開口部の断面よりも大きく備えることができ、第１のアラインメント部の開口部に挿入された第２の整列部２５１ａ、２５１ｂを強固に固定することができる。また、前記第１の整列部の外面には、表面粗さをさらに含むことができる。例えば、前記表面粗さは、前記第１の整列部の外面において前記第２の整列部２５１ａ、２５１ｂの末端部２５２ａ、２５２ｂと接触する部分に備えることができ、前記第１及び第２の電極タブ２２０ａ、２２０ｂとタブ安着部２５０ａ、２５０ｂとの間をより強固に固定することができる。
【００５６】
図６は、本発明のその他の実施形態による電極タブ及びタブ定着部の断面図である。図６を参照すると、第１及び第２の電極タブ３２０は、保護回路モジュール３６０のタブ安着部３５０に安着することができるが、前記第１及び第２の電極タブ３２０とタブ安着部３５０との間には結合層３７０をさらに含むことができる。
【００５７】
前記第１及び第２の電極タブ３２０には、第１のアラインメント部の開口部が備えられ、前記タブ安着部３５０には、前記第１の整列部に挿入される第２の整列部３５１が備えることができる。この際、前記結合層３７０は、前記第１及び第２の電極タブ３２０に備えられるが、前記第１のアラインメント部の開口部の周辺部にのみ備えることができる。
【００５８】
前記結合層３７０は、前記第１及び第２の電極タブ３２０とタブ安着部３５０とを電気的に連結するとともに、これらを物理的に固定する接着力のある物質を使用することができ、例えば、前記結合層３７０は、Ａｇペーストまたは導電性接着剤を含むことができる。
【００５９】
前記第１及び第２の電極タブ３２０をタップ安着部３５０に備えるとき、工程マージンを考慮して前記タブ安着部３５０は、前記第１及び第２の電極タブ３２０と同じか、又は大きく備えることができる。この際、前記結合層３７０が、前記タブ安着部３５０に備えられる場合には、前記第１及び第２の電極タブ３２０が、前記タブ安着部３５０に装着された後、前記第１及び第２の電極タブ３２０の周辺には、不要な結合層３７０が残存して外観不良の原因となることがありえる。したがって、タブ安着部３５０と同じか、又は小さく備えられる第１及び第２の電極タブ３２０に結合層３７０を備えることで、前記結合層３７０による外観不良を防止し、さらに、不要な結合層３７０の無駄を防止することができるので、コストを削減することができる。
【００６０】
以上のように、本発明の属する技術分野における通常の知識を有する者は、本発明がその技術的思想や必須特徴を変更せずに他の具体的な形で実施することができることを理解できるだろう。したがって、上述した実施形態はすべての面から例示的なものであり、限定的ではないと理解しなければならない。さらに、本発明の範囲は、上記の詳細な説明よりは特許請求の範囲によって示され、特許請求の範囲の意味及び範囲そしてその均等概念から導き出されるすべての変更または変形された形態が本発明の範囲に含まれるものと解釈されるべきである。
【符号の説明】
【００６１】
１００  バッテリーパック、
１１０  二次電池、
１２０、２２０ａ、２２０ｂ、２３０  第１及び第２の電極タブ、
１５０、２５０ａ、２５０ｂ、２５０  タブ定着部、
１６０、２６０ａ、２６０ｂ、２６０  保護回路モジュール
【図１】
2015008139.tif 000003
【図２】
2015008139.tif 000004
【図３Ａ】
2015008139.tif 000005
【図３Ｂ】
2015008139.tif 000006
【図４】
2015008139.tif 000007
【図５】
2015008139.tif 000008
【図６】
2015008139.tif 000009